(57)【要約】【課題】対象チャンネル信号への干渉のレベルを判定するテレビジョン受像機、及びテレビシステムを提供することを目的とする。【解決手段】テレビジョン受像機（１００）は制御部（１２）と送信部（２７）とを備え、上記制御部は、対象チャンネル信号への干渉のレベルを判定し、判定した判定結果を、上記送信部を介して外部機器に送信する。また、テレビシステム（２００）は、第１のテレビジョン受像機（１００ａ）及び第２のテレビジョン受像機（１００ｂ）を含み、上記第１のテレビジョン受像機の制御部（１２）は、対象チャンネル信号への干渉のレベルを判定し、判定した判定結果を上記第２のテレビジョン受像機に送信し、上記第２のテレビジョン受像機は、取得した上記判定結果を参照して得られる干渉情報を表示する。【選択図】図１
2019149638.tif 000002
【特許請求の範囲】
【請求項１】
制御部と送信部とを備えたテレビジョン受像機であって、
上記制御部は、
対象チャンネル信号への干渉のレベルを判定し、
判定した判定結果を、上記送信部を介して外部機器に送信することを特徴とするテレビジョン受像機。
【請求項２】
受信部を更に備え、
上記受信部は、他のテレビジョン受像機の上記判定結果を受信し、
上記制御部は、
受信した判定結果を参照して、対象チャンネル信号への干渉の原因を推定することを特徴とする請求項１に記載のテレビジョン受像機。
【請求項３】
表示部を更に備え、
上記制御部は、上記干渉の原因に応じた通知情報を、上記表示部に表示させる、請求項１又は２に記載のテレビジョン受像機。
【請求項４】
上記制御部は、
複数の周波数帯で動作可能な送受信モジュールから、使用中の周波数帯を示す周波数帯情報を取得し、
上記対象チャンネルの周波数帯と、上記送受信モジュールの使用中の周波数帯とが互いに重複する周波数を含む場合に、上記対象チャンネル信号への上記干渉が上記送受信モジュールに起因したものであると判定し、
上記対象チャンネルの周波数帯と、上記送受信モジュールの使用中の周波数帯とが互いに重複する周波数を含まない場合に、上記対象チャンネル信号への上記干渉が上記送受信モジュール以外に起因したものであると判定する
請求項１〜３の何れか１項に記載のテレビジョン受像機。
【請求項５】
上記制御部は、
上記対象チャンネルの周波数帯と、上記送受信モジュールの使用中の周波数帯とが互いに重複する周波数を含む場合に、上記送受信モジュールに対して、使用中の周波数帯を変更するよう指示を行うことを特徴とする請求項４に記載のテレビジョン受像機。
【請求項６】
上記制御部は、
上記対象チャンネルの周波数帯と、上記送受信モジュールの使用中の周波数帯とが互いに重複する周波数を含む場合に、対象のチャンネルの使用周波数帯を切り替える
ことを特徴とする請求項５に記載のテレビジョン受像機。
【請求項７】
第１のテレビジョン受像機及び第２のテレビジョン受像機を含むテレビシステムであって、
上記第１のテレビジョン受像機は、
制御部と送信部とを備え
上記制御部は、
対象チャンネル信号への干渉のレベルを判定し、
判定した判定結果を、上記送信部を介して上記第２のテレビジョン受像機に送信し、
上記第２のテレビジョン受像機は、
上記第１のテレビジョン受像機から取得した上記判定結果を参照して得られる干渉情報を表示する
ことを特徴とするテレビシステム。
【請求項８】
請求項１〜６の何れか１項に記載のテレビジョン受像機、又は請求項７に記載のテレビシステムを動作させるためのプログラムであって、上記制御部としてコンピュータを機能させるための制御プログラム。
【請求項９】
制御部と送信部とを備えたテレビジョン受像機の制御方法であって、
上記制御部は、対象チャンネル信号への干渉のレベルを判定し、
判定した判定結果を、上記送信部を介して外部機器に送信することを特徴とするテレビジョン受像機の制御方法。
【発明の詳細な説明】
【技術分野】
【０００１】
本発明は高度衛星放送受信における干渉妨害波の検出に関する。
【背景技術】
【０００２】
２０１８年から開始される８Ｋ／４Ｋ高度衛星放送は左旋円偏波を新しく使用する。該衛星放送には、宅内配線として１軸伝送が採用されており、アンテナのＬＮＢ出力は２２２４〜３２２４ＭＨｚを使用する。この出力帯域においては、ＷｉＦｉ（登録商標）、Ｂｌｕｅｔｏｏｔｈ（登録商標）等の既存の無線システム、及び電子レンジの周波数（２．４ＧＨｚ）と重なる部分のチャンネルが存在する。
【０００３】
既存の無線システム、電子レンジ等の周波数が、干渉波として高度衛星放送の受信を妨げ、ブロックノイズ、音途切れ等が発生する場合がある。また、高度衛星放送の受信が不可能となる場合もある。
【０００４】
例えば、特許文献１には、隣接チャンネルによる受信妨害の抑制を目的とするテレビジョン受信装置及びテレビジョン受像機が開示されている。
【０００５】
また、特許文献２には、ビット誤り率を基に受信品質レベルを判断し、マルチパス干渉が生じていると判定した場合は、その旨を表示部に表示し、ユーザーに注意喚起する表示端末が開示されている。
【先行技術文献】
【特許文献】
【０００６】
【特許文献１】特開２００６−２７０６９３号公報（２００６年１０月５日公開）
【特許文献２】特許４１６１１５９公報（２００２年２月１５日公開）
【発明の概要】
【発明が解決しようとする課題】
【０００７】
一方で、ローカルエリアネットワーク等の送受信モジュールも、テレビジョン受像機にとっての新たな干渉源になり得ることが発明者の知見により得られている。これらの新たな干渉源からの干渉に対しては、特許文献１及び特許文献２の技術を用いても対処することはできない。
【０００８】
本発明の一態様は、上記課題を解決するものであって、チューナ部とは異なる送受信モジュールが存在する場合であっても、干渉の原因を特定することのできるテレビジョン受像機及びテレビシステムを実現することにある。
【課題を解決するための手段】
【０００９】
上記の課題を解決するために、本発明の一態様に係るテレビジョン受像機は、制御部と送信部とを備え、上記制御部は、対象チャンネル信号への干渉のレベルを判定し、判定した判定結果を、上記送信部を介して外部機器に送信する。
【００１０】
また、上記の課題を解決するために、本発明の一態様に係るテレビシステムは、第１のテレビジョン受像機及び第２のテレビジョン受像機を含み、上記第１のテレビジョン受像機は、制御部と送信部とを備え、上記制御部は、対象チャンネル信号への干渉のレベルを判定し、判定した判定結果を、上記送信部を介して上記第２のテレビジョン受像機に送信し、上記第２のテレビジョン受像機は、上記第１のテレビジョン受像機から取得した上記判定結果を参照して得られる干渉情報を表示する。
【００１１】
また、上記の課題を解決するために、本発明の一態様に係るテレビジョン受像機の制御方法は、制御部が対象チャンネル信号への干渉のレベルを判定し、判定した判定結果を、送信部を介して外部機器に送信する。
【発明の効果】
【００１２】
本発明の一態様によれば、対象チャンネル信号への干渉の原因を好適に判定することができる。
【図面の簡単な説明】
【００１３】
【図１】本発明の実施形態に係るテレビジョン受像機の構成要素を示すブロック図である。
【図２】本発明の実施形態に係るテレビシステムの構成要素を示すブロック図である。
【図３】本発明の実施形態に係るテレビジョン受像機の表示部が表示する通知の例である。
【図４】本発明の実施形態に係るテレビジョン受像機の判定処理の流れの一例を示すフローチャートである。
【図５】本発明の実施形態に係るテレビシステムの判定処理の流れの一例を示すフローチャートである。
【発明を実施するための形態】
【００１４】
以下、本発明の一実施形態について、詳細に説明する。以下の特定の項目（実施形態）における構成について、それが他の項目で説明されている構成と同じである場合は、説明を省略する場合がある。また、説明の便宜上、各項目に示した部材と同一の機能を有する部材については、同一の符号を付し、適宜その説明を省略する。
【００１５】
＜実施形態１：テレビ受像機、及びテレビシステムの判定処理＞
〔テレビジョン受像機〕
図１に示すように、本実施形態に係るテレビジョン受像機１００は、メインシステム部１０、スピーカ６０、表示部７０を備えている。また、本実施形態に係るテレビジョン受像機は、外部のアンテナ部８０と接続されている。なお、記載の簡潔性を担保する観点から、本実施形態に直接関係の無い部分は構成の説明及びブロック図から省略した。ただし、実施の実情に則して、テレビジョン受像機１００は省略した構成を含んでもよい。
【００１６】
メインシステム部１０は、アンテナ部８０から入力されたテレビジョン放送信号を処理し、当該放送信号の示す音声をスピーカ６０から出力し、当該放送信号の示す映像を表示部７０から出力する。メインシステム部１０は、制御部１２、チューナ部１４、復調部１６、デスクランブルおよびデマックス処理部１８、音声処理部２０、表示処理部２４、メモリ２６、送信部２７、受信部２９、送受信モジュール４０を備えている。
【００１７】
制御部１２は、テレビジョン受像機１００の各部を統括的に制御するものである。制御部１２の各機能、及びテレビジョン受像機１００に含まれる全て機能は、例えばメモリ２６等の記憶素子に記憶されたプログラムを、ＣＰＵが実行することによって実現されてもよい。制御部１２は、本実施形態では、特に各部より送信される対象チャンネル信号の受信信号品質等から対象チャンネル信号への干渉の有無、及び原因を判定する。
【００１８】
チューナ部１４は、外部のアンテナ部８０から受信した放送信号の伝送チャンネルを選局する。
【００１９】
復調部１６は、チューナ部１４から得られた放送信号を復調してデジタル信号を生成する。
【００２０】
デスクランブルおよびデマックス処理部１８は、復調部１６から入力された放送信号のスクランブルの解除処理を行い、解除処理した信号を映像信号と、音声信号と、その他の信号（字幕用データ等）とに分割する。分割された映像信号は表示処理部２４に出力され、分割された音声信号は音声処理部２０に出力される。
【００２１】
表示処理部２４は、制御部１２、及びデスクランブルおよびデマックス処理部１８の少なくとも１つから入力された信号を表示部７０に表示できるように処理を行うことによって表示用データを生成し、生成した表示用データを表示部７０へ出力する。
【００２２】
表示部７０は、表示処理部２４から入力される表示用のデータを、表示面に表示する。表示部としては、表示機能を有する装置であればよく、ハードウェアの種類は限定されない。例えば、液晶ディスプレイ、プラズマディスプレイ、ＥＬディスプレイ等の表示素子と、表示処理部２４から入力された表示用のデータに基づいて、当該表示素子を駆動するドライバ回路とを備える装置等で、表示部７０を構成できる。
【００２３】
音声処理部２０は、制御部１２、及びデスクランブルおよびデマックス処理部１８の少なくとも１つから入力された信号の処理を行うことによって音声データを生成し、生成した音声データをスピーカ６０へ出力する。音声処理部２０は、例えば、アンプ等の音声出力処理回路で構成できる。
【００２４】
スピーカ６０は、音声処理部２０から入力される音声データを外部へ出力する。
【００２５】
メモリ２６は、制御部１２が制御プログラムを展開する主記憶部、及び補助記憶部として使用される。メモリ２６としては、例えば、半導体ＲＡＭ（ｒａｎｄａｍ  ａｃｃｅｓｓ  ｍｅｍｏｒｙ）、フラッシュメモリ、ハードディスクドライブ、ＲＯＭ等が挙げられる。本実施形態において、メモリ２６は、チューナ部１４で検出される対象チャンネルの受信信号品質、及び受信信号品質の取得日時等を記録する。
【００２６】
送信部２７は、テレビジョン受像機１００の情報を外部機器へ送信する。本実施形態において、送信部２７は、干渉についての情報を外部機器へ送信する。
【００２７】
受信部２９は、外部機器からの情報を受信する。本実施形態において、受信部２９は、外部機器、他のテレビジョン受像機、及びサーバーからの干渉についての情報を受信する。
【００２８】
送受信モジュール４０は、信号の送受信をできるモジュールであればよく、例えば、ＷｉＦｉモジュール、Ｂｌｕｅｔｏｏｔｈモジュールが挙げられる。また、送受信モジュール４０は、受信信号品質、電界強度、変調方式及びコーディングレート等、通信路に関係する情報を収集する。
【００２９】
〔干渉のレベルの判定処理〕
本実施形態において、制御部１２は、対象チャンネル信号への干渉のレベルを判定し、判定した判定結果を、送信部２７を介して外部機器に送信する。上記の構成によれば、自身のテレビジョン受像機の干渉についての情報を外部機器に送信することができる。
【００３０】
外部機器とは、判定結果を受信できる受信器を備えた機器であれば、特に限定されないが、例えば、他のテレビジョン受像機、サーバー等が挙げられる。また、対象チャンネル信号への干渉のレベルは、例えば、制御部１２がチューナ部１４等で検出される対象チャンネル信号の受信信号品質を参照することで判定する。制御部１２は、干渉がないときの受信信号品質を、基準値として予めメモリ２６等に記憶しておき、当該基準値と、対象チャンネル信号の最新の受信信号品質とを比較することで干渉のレベルを判定してもよい。また、受信信号品質とは、例えば、対象チャンネル信号のビット誤り率、受信信号強度及びキャリアノイズ比等が挙げられる。
【００３１】
本実施形態において、干渉の判定処理の開始のタイミングは、特に限定されないが、例えば、テレビジョン受像機の初期設定時等に予めユーザーに決定させてもよい。また、定期的に判定処理を行い、判定した判定結果を適宜メモリ、及びデータベース等に記憶してもよい。
【００３２】
〔干渉の原因の判定処理〕
また、本実施形態において、受信部２９は、他のテレビジョン受像機の判定結果を受信し、制御部１２は、受信した判定結果を参照して、対象チャンネル信号への干渉の原因を推定する。上記の構成によれば、対象チャンネル信号への干渉の原因を推定することができる。
【００３３】
判定結果とは、例えば、他のテレビジョン受像機の干渉のレベルの判定結果である。制御部１２は、受信した判定結果と、対象チャンネル信号への干渉のレベルとを比較する。制御部１２は、対象チャンネル信号への干渉のレベルが、受信した判定結果よりも高いと判定した場合、自身のテレビジョン受像機が、他のテレビジョン受像機よりも干渉を受けており、干渉の原因となるものが近くに存在すると推定できる。
【００３４】
本実施形態において、制御部１２は、複数の周波数帯で動作可能な送受信モジュール４０から、使用中の周波数帯を示す周波数帯情報を取得し、対象チャンネルの周波数帯と、送受信モジュール４０の使用中の周波数帯とが互いに重複する周波数を含む場合に、対象チャンネル信号への干渉が送受信モジュール４０に起因したものであると判定する。また、対象チャンネルの周波数帯と、送受信モジュールの使用中の周波数帯とが互いに重複する周波数を含まない場合に、対象チャンネル信号への干渉が送受信モジュール以外に起因したものであると判定する。上記の構成によれば、制御部１２が対象チャンネル信号への干渉が送受信モジュールに起因するか、否かを判定することができる。
【００３５】
本実施形態において、送受信モジュールは、複数の周波数帯で動作可能であればよく、図２で示すように、送受信モジュール４０は、テレビジョン受像機に内蔵されていてもよい。また、送受信モジュールはテレビジョン受像機の外部機器であってもよい。
【００３６】
〔干渉への対策処理〕
本実施形態において、制御部１２は、対象チャンネルの周波数帯と、送受信モジュール４０の使用中の周波数帯とが互いに重複する周波数を含む場合に、送受信モジュール４０に対して、使用中の周波数帯を変更するよう指示を行う。上記の構成によれば、制御部１２は、対象チャンネル信号への干渉に対処することができる。
【００３７】
送受信モジュール４０が、図２に示すようにテレビジョン受像機１００に内蔵されている場合、制御部１２は、送受信モジュール４０に対して周波数帯の変更を指示し、周波数帯の変更を自動で切り替えてもよい。また、送受信モジュールが外部機器である場合は、当該送受信モジュールの制御部に対して使用中の周波数帯を変更するよう指示を行うものであってもよい。例えば、送受信モジュールがＷｉＦｉモジュールである場合、ＷｉＦｉの使用周波数を２．４ＧＨｚから５ＧＨｚへ変更するよう指示してもよい。また、制御部１２は、テレビジョン受像機１００の表示部７０に、送受信モジュール４０の使用する周波数帯を手動で変更するようユーザーに通知する内容を表示させてもよい。
【００３８】
本実施形態において、制御部１２は、対象チャンネルの周波数帯と、送受信モジュール４０の使用中の周波数帯とが互いに重複する周波数を含む場合に、対象チャンネルの使用周波数帯を切り替える。上記の構成によれば、制御部１２は、対象チャンネル信号への干渉に対処することができる。
【００３９】
制御部１２は、例えば、対象チャンネルの周波数帯と、送受信モジュール４０の使用中の周波数帯とが互いに重複した場合に、自動で対象チャンネルの使用周波数帯を切り替えてもよいし、表示部７０に対象チャンネルの使用周波数帯切り替えの許可をユーザーに求める旨の表示をしてもよい。また、テレビジョン受像機の初期設定において、自動で切り替えるか否かの設定をユーザーにさせてもよい。
【００４０】
〔ユーザーに通知する処理〕
本実施形態において、制御部１２は、表示部７０の干渉の原因に応じた通知情報を、表示部７０に表示させる。上記の構成によれば、ユーザーが干渉の原因について知ることができる。
【００４１】
図３に、表示部に表示する通知例を示す。干渉に応じた通知情報とは、例えば、干渉の有無、干渉の原因等が挙げられる。図３の（ａ）は、降雨による干渉、（ｂ）はＷｉＦｉによる干渉、（ｃ）は干渉の原因物が近くにあることについて通知する例を示している。（ｄ）は、２階のテレビ（その他のテレビジョン受像機）から受信した干渉の判定結果と、対象チャンネル信号への干渉のレベルとを比較し、干渉の原因が２階のテレビの近くにある可能性を通知する例である。また、対象チャンネル信号への干渉が検出された場合、（ｅ）のように、テレビの使用周波数帯域を切り換える許可をユーザーへ求める通知をしてもよい。（ｆ）は、周辺地域のテレビジョン受像機、又は周辺地域のテレビジョン受像機の干渉のレベルの判定結果についてのデータを蓄積しているサーバー等から受信した干渉のレベルの判定結果について通知する例である。ユーザーに通知する設定については、例えば、テレビジョン受像機の初期設定の際にユーザーに通知の要否を選択させてもよい。
【００４２】
〔テレビジョン受像機１００の判定処理例〕
次に、図４のフローチャートに基づき、テレビジョン受像機１００の判定処理について説明する。まず、判定処理を開始し、ステップＳ（以下、「ステップ」は省略する）１０１に進む。Ｓ１０１では、テレビジョン受像機１００の制御部１２が、対象チャンネル信号の受信信号品質を取得し、Ｓ１０３に進む。
【００４３】
Ｓ１０３では、制御部１２が、対象チャンネル信号の受信信号品質の最新値と、基準値との比較を行う。受信信号品質の基準値と、最新値との差が所定の値（Ｔ１）未満である場合は、制御部１２は対象チャンネル信号への干渉が無いと判定し、Ｓ１０５に進む。
【００４４】
Ｓ１０３で、受信信号品質の基準値と、最新値との差が所定の値（Ｔ１）以上であり、かつ、最新値が基準値よりも小さい場合は、Ｓ１０７に進み、制御部１２は対象チャンネル信号への干渉が有ると判定する。対象チャンネル信号への干渉が有ると判定された場合、制御部１２は、干渉の原因を特定する。
【００４５】
制御部１２は送受信モジュール４０から、使用中の周波数帯を示す周波数帯情報を取得し、対象チャンネルの周波数帯と、送受信モジュール４０の使用中の周波数帯とを比較する。制御部１２は、対象チャンネルの周波数帯と、送受信モジュール４０の周波数帯とが互いに重複する周波数を含む場合は、対象チャンネル信号への干渉が送受信モジュール４０、例えばＷｉＦｉに起因するものであると判定する。また、対象チャンネルの周波数帯と、送受信モジュールの使用中の周波数帯とが互いに重複する周波数を含まない場合は、対象チャンネル信号への干渉が送受信モジュール４０以外の機器等、例えば電子レンジ等に起因するものであると判定する。また、制御部１２は当該判定結果を表示部７０に表示させるよう指示し、Ｓ１０９に進む。
【００４６】
Ｓ１０９では、１０分間待機した後、再度Ｓ１０１に進み判定処理を開始する。Ｓ１０９の間に、〔干渉への対策処理〕に記載した処理を行ってもよい。
【００４７】
〔テレビシステム〕
図２に示すように、本実施形態に係るテレビシステム２００は、第１のテレビジョン受像機１００ａ及び第２のテレビジョン受像機１００ｂを含む。第１のテレビジョン受像機１００ａ及び第２のテレビジョン受像機１００ｂが備える各部については、〔テレビジョン受像機〕で説明した部と同じである。
【００４８】
本実施形態において、第１のテレビジョン受像機１００ａは、制御部１２ａと送信部２７ａとを備え、制御部１２ａは、対象チャンネル信号への干渉のレベルを判定し、判定した判定結果を、送信部２７ａを介して第２のテレビジョン受像機１００ｂに送信し、第２のテレビジョン受像機１００ｂは、第１のテレビジョン受像機１００ａから取得した上記判定結果を参照して得られる干渉情報を表示する。上記の構成によれば、第２のテレビジョン受像機１００ｂは、第１のテレビジョン受像機１００ａの判定結果を参照して対象チャンネル信号への干渉を判定し、対象チャンネル信号への干渉の判定結果をユーザーへ通知することができる。
【００４９】
干渉のレベルは、例えば、対象チャンネル信号の受信信号品質であり、又は受信信号品質を基に算出される。まず、第１のテレビジョン受像機１００ａの制御部１２ａは、第１のテレビジョン受像機１００ａ内の干渉レベル検出器等で検出される基準値（干渉のないときの受信信号品質の過去値）と、第１のテレビジョン受像機１００ａの対象チャンネルの受信信号品質（最新値）とを比較することにより干渉のレベルを判定する。制御部１２ａは、基準値と、最新値との差が所定の値未満である場合には、第１のテレビジョン受像機１００ａにおいては干渉が無いと判定し、最新値が基準値よりも小さい場合には、干渉があると判定する。また、第１のテレビジョン受像機１００ａの制御部１２ａは、第１のテレビジョン受像機１００ａにおける判定結果を、送信部２７ａを介して、第２のテレビジョン受像機１００ｂへ送信する。第２のテレビジョン受像機１００ｂの制御部２７ｂは、受信した第１のテレビジョン受像機１００ａの干渉のレベルと、第２のテレビジョン受像機１００ｂの干渉のレベルとを比較し、その結果を表示部７０ｂに表示し、ユーザーへ干渉情報を通知する。
【００５０】
また、第２のテレビジョン受像機１００ｂの制御部１２ｂは、自身の表示部７０ｂに干渉情報を表示させるのに加えて、第１のテレビジョン受像機１００ａへ当該干渉情報をフィードバックし、当該干渉情報を受信した第１のテレビジョン受像機１００ａの制御部１２ａは、当該干渉情報を表示部７０ａに表示させてもよい。
【００５１】
第１のテレビジョン受像機と、第２のテレビジョン受像機との送受信は、例えば、有線ＬＡＮ、無線ＬＡＮ（ＷｉＦｉ）、及びＢｌｕｅｔｏｏｔｈ等で行われる。
【００５２】
第１のテレビジョン受像機と、第２のテレビジョン受像機とを含むテレビシステムは、例えば、１階のテレビ、及び２階のテレビのように宅内であってもよく、集合住宅内、地域内を想定してもよい。
【００５３】
〔テレビシステム２００の判定処理例〕
次に、図５のフローチャートに基づき、図２のテレビシステム２００の判定処理について説明する。本判定処理例において、第１のテレビジョン受像機１００ａにおける対象チャンネルの受信信号品質を受信信号品質Ａ、第２のテレビジョン受像機１００ｂにおける対象チャンネルの受信信号品質を受信信号品質Ｂと示す。
【００５４】
まず、判定処理を開始し、ステップＳ（以下、「ステップ」は省略する）２０１に進む。
【００５５】
Ｓ２０１では、第１のテレビジョン受像機１００ａの制御部１２ａが、対象チャンネル信号の受信信号品質を取得し、Ｓ２０３に進む。
【００５６】
Ｓ２０３では、制御部１２ａが、受信信号品質の基準値と、対象チャンネル信号の受信信号品質の最新値である受信信号品質Ａとの比較を行う。受信信号品質の基準値と、最新値である受信信号品質Ａとの差が所定の値（Ｔ１）未満である場合は、制御部１２ａは対象チャンネル信号に干渉が無いと判定し、Ｓ２０５に進む。
【００５７】
Ｓ２０３で、受信信号品質の基準値と、最新値との差が所定の値（Ｔ１）以上であり、かつ、最新値である受信信号品質Ａが基準値よりも小さい場合は、制御部１２ａは対象チャンネル信号への干渉が有ると判定し、当該判定結果を第２のテレビジョン受像機１００ｂに送信し、Ｓ２０９に進む。
【００５８】
Ｓ２０９では、第２のテレビジョン受像機１００ｂの制御部１２ｂが、第１のテレビジョン受像機１００ａの受信信号品質Ａと、第２のテレビジョン受像機１００ｂの受信信号品質Ｂとを比較する。受信信号品質Ａと、受信信号品質Ｂとの差が所定の値（Ｔ２）未満である場合は、Ｓ２１１に進み、制御部１２ｂは第２のテレビジョン受像機１００ｂにおいても第１のテレビジョン受像機１００ａと同様に干渉が有り、システム全体の障害を検出したと判定する。また、Ｓ２０９において、受信信号品質Ａが受信信号品質Ｂよりも小さい場合、制御部１２ｂは第１のテレビジョン受像機１００ａのみに干渉があると判定し、Ｓ２１３に進む。制御部１２ｂは判定した判定結果を表示部７０ｂに表示させるよう指示し、当該判定結果を第１のテレビジョン受像機１００ａへフィードバックする。フィードバックされた判定結果に基づき、第１のテレビジョン受像機１００ａの制御部１２ａは、表示部７０ａに当該判定結果を表示させるよう指示し、Ｓ２０７に進む。
【００５９】
Ｓ２０７では、１０分間待機した後、再度Ｓ２０１に進み判定処理を開始する。Ｓ２０７の間に、〔干渉への対策処理〕に記載した処理を行ってもよい。
【００６０】
＜実施形態２：データベースを含むシステム＞
本実施形態においては、テレビジョン受像機の干渉のレベルについての情報を蓄積したデータベース同士で干渉のレベルを比較することにより、干渉のレベルを判定してもよい。上記の構成によれば、より多くの干渉のレベルについての情報を基に、干渉の原因を正確に推定することが可能になる。例えば、１つのデータベースには１つのテレビジョン受像機の一定期間における干渉のレベルについての情報を蓄積してもよいし、１つのデータベースに或る地域内にある複数のテレビジョン受像機の一定期間における干渉のレベルについての情報を蓄積してもよい。干渉のレベルは、例えば、対象チャンネル信号の受信信号品質を参照することで判定すればよい。データベースには、例えば、テレビジョン受像機の対象チャンネルの受信信号品質と、当該受信信号品質を取得した日時とを紐付けて格納してもよい。
【００６１】
複数のテレビジョン受像機の情報を格納するデータベースが判定処理に使用する受信信号品質の値は、例えば、複数のテレビジョン受像機の同じ日時の受信信号品質の平均値であってもよい。
【００６２】
また、一定期間において複数のテレビジョン受像機の対象チャンネルの受信信号品質と、当該受信信号品質の取得日時とをデータベースに蓄積することで、一定期間における干渉のレベル変化の傾向を分析することが出来る。例えば、一日の中で、１９〜２１時の間は、対象チャンネル信号の受信信号品質が悪くなる傾向にある、というような統計的な分析を制御部が行うことが可能であり、分析した分析結果を表示部に表示させ、ユーザーに通知することができる。
【００６３】
また、地域毎にデータベースを作成し、複数のテレビジョン受像機の対象チャンネルの受信信号品質と、当該受信信号品質の取得日時とをデータベースに蓄積することで、広域における干渉のレベルの変化を分析することができる。例えば、降雨減衰など、天候の変化に起因する干渉を地域毎に判定することが可能であり、判定した判定結果を、各データベースに属する各テレビジョン受像機の表示部に表示させ、ユーザーに通知することができる。
【００６４】
〔データベースを含むシステムの判定処理例〕
次に、図５のフローチャートに基づき、データベース間での判定処理例について説明する。本判定処理例において、データベースＡ、及びデータベースＢの２つのデータベースにおける判定処理を説明する。データベースＡは、テレビジョン受像機１００の干渉のレベルについての情報を蓄積するデータベースとし、データベースＢは、地域ｂ内にある複数のテレビジョン受像機の情報を蓄積するデータベースとする。データベースＡから取得する対象チャンネルの受信信号品質を受信信号品質Ａ、データベースＢから取得する対象チャンネルの受信信号品質を受信信号品質Ｂと示す。
【００６５】
まず、判定処理を開始し、ステップＳ２０１に進む。Ｓ２０１では、テレビジョン受像機１００の制御部１２が、対象チャンネル信号の受信信号品質Ａを取得し、Ｓ２０３に進む。
【００６６】
Ｓ２０３では、制御部１２が、受信信号品質の基準値と、対象チャンネル信号の受信信号品質の最新値である受信信号品質Ａとの比較を行う。受信信号品質の基準値と、最新値である受信信号品質Ａとの差が所定の値（Ｔ１）未満である場合は、制御部１２は対象チャンネル信号に干渉が無いと判定し、受信信号品質Ａと、受信信号品質Ａを取得した日時に関する情報データベースＡに格納し、Ｓ２０５に進む。
【００６７】
Ｓ２０３で、受信信号品質の基準値と、最新値との差が所定の値（Ｔ１）以上であり、かつ、最新値である受信信号品質Ａが基準値よりも小さい場合は、制御部１２は対象チャンネル信号への干渉が有ると判定し、判定した判定結果と、当該判定結果を取得した日時に関する情報とをデータベースＡに格納し、Ｓ２０９に進む。
【００６８】
Ｓ２０９では、テレビジョン受像機１００の制御部１２が、テレビジョン受像機１００において受信信号品質Ａを取得した日時に対応するデータベースＢ内の受信信号品質Ｂを取得し、受信信号品質Ａと、受信信号品質Ｂとを比較する。受信信号品質Ａと、受信信号品質Ｂとの差が所定の値（Ｔ２）未満である場合は、Ｓ２１１に進み、制御部１２は、データベースＢに干渉のレベルを蓄積している地域ｂのテレビジョン受像機においてもテレビジョン受像機１００と同様に干渉が有り、システム全体の障害を検出したと判定する。制御部１２は、判定した判定結果を表示部７０に表示させるよう指示し、Ｓ２０７に進む。
【００６９】
また、Ｓ２０９において、受信信号品質Ａが受信信号品質Ｂよりも小さい場合、Ｓ２１３に進み、制御部１２はテレビジョン受像機１００のみに干渉があると判定する。制御部１２は当該判定結果をテレビジョン受像機１００の表示部７０に表示させるよう指示し、Ｓ２０７に進む。
【００７０】
Ｓ２０７では、１０分間待機した後、再度Ｓ２０１に進む判定処理を開始する。Ｓ２０７の間に、〔干渉への対策処理〕に記載した処理を行ってもよい。
【００７１】
＜実施形態３：ソフトウェアによる実現例＞
テレビジョン受像機１００の制御ブロック（特に制御部１２）は、集積回路（ＩＣチップ）等に形成された論理回路（ハードウェア）によって実現してもよいし、ソフトウェアによって実現してもよい。
【００７２】
後者の場合、テレビジョン受像機１００は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７３】
〔まとめ〕
本発明の態様１に係るテレビジョン受像機（１００）は、制御部（１２）と送信部（２７）とを備えたテレビジョン受像機であって、上記制御部は、対象チャンネル信号への干渉のレベルを判定し、判定した判定結果を、上記送信部を介して外部機器に送信する。
【００７４】
上記の構成によれば、制御部１２は、テレビジョン受像機の干渉についての情報を外部機器に送信することができる。
【００７５】
本発明の態様２に係るテレビジョン受像機（１００）は、上記態様１において、受信部（２９）を更に備え、上記受信部は、他のテレビジョン受像機の上記判定結果を受信し、上記制御部は、受信した判定結果を参照して、対象チャンネル信号への干渉の原因を推定する。
【００７６】
上記の構成によれば、制御部１２は、対象チャンネル信号への干渉の原因を推定することができる。
【００７７】
本発明の態様３に係るテレビジョン受像機（１００）は、上記態様１又は２において、表示部（７０）を更に備え、上記制御部は、上記干渉の原因に応じた通知情報を、上記表示部に表示させる。
【００７８】
上記の構成によれば、ユーザーが干渉の原因について知ることができる。
【００７９】
本発明の態様４に係るテレビジョン受像機（１００）は、上記態様１〜３の何れかにおいて、上記制御部が、複数の周波数帯で動作可能な送受信モジュール（４０）から、使用中の周波数帯を示す周波数帯情報を取得し、上記対象チャンネルの周波数帯と、上記送受信モジュールの使用中の周波数帯とが互いに重複する周波数を含む場合に、上記対象チャンネル信号への上記干渉が上記送受信モジュールに起因したものであると判定し、上記対象チャンネルの周波数帯と、上記送受信モジュールの使用中の周波数帯とが互いに重複する周波数を含まない場合に、上記対象チャンネル信号への上記干渉が上記送受信モジュール以外に起因したものであると判定する。
【００８０】
上記の構成によれば、制御部１２は、対象チャンネル信号への干渉が送受信モジュールに起因するか、否かを判定することができる。
【００８１】
本発明の態様５に係るテレビジョン受像機（１００）は、上記態様４において、上記制御部が、上記対象チャンネルの周波数帯と、上記送受信モジュールの使用中の周波数帯とが互いに重複する周波数を含む場合に、上記送受信モジュールに対して、使用中の周波数帯を変更するよう指示を行う。
【００８２】
上記の構成によれば、制御部１２は、対象チャンネル信号への干渉に対処することができる。
【００８３】
本発明の態様６に係るテレビジョン受像機（１００）は、上記態様５において、上記制御部が、上記対象チャンネルの周波数帯と、上記送受信モジュールの使用中の周波数帯とが互いに重複する周波数を含む場合に、対象のチャンネルの使用周波数帯を切り替える。
【００８４】
上記の構成によれば、制御部１２は、対象チャンネル信号への干渉に対処することができる。
【００８５】
本発明の態様７に係るテレビシステム（２００）は、第１のテレビジョン受像機（１００ａ）及び第２のテレビジョン受像機（１００ｂ）を含むテレビシステムであって、上記第１のテレビジョン受像機は、制御部（１２ａ）と送信部（２７ａ）とを備え、上記制御部は、対象チャンネル信号への干渉のレベルを判定し、判定した判定結果を、上記送信部を介して上記第２のテレビジョン受像機に送信し、上記第２のテレビジョン受像機は、上記第１のテレビジョン受像機から取得した上記判定結果を参照して得られる干渉情報を表示する。
【００８６】
上記の構成によれば、第２のテレビジョン受像機（１００ｂ）は、第１のテレビジョン受像機（１００ａ）の判定結果を参照して対象チャンネル信号への干渉を判定し、対象チャンネル信号への干渉の判定結果をユーザーへ通知することができる。
【００８７】
本発明の態様１〜６に係るテレビジョン受像機（１００）、又は態様７に係るテレビシステム（２００）を動作させるためのプログラムであって、上記制御部としてコンピュータを機能させるための制御プログラムである。
【００８８】
上記の構成によれば、制御部１２は、対象チャンネル信号への干渉のレベルを好適に判定することが可能になる。
【００８９】
本発明の態様８に係る制御方法は、制御部（１２）と送信部（２７）とを備えたテレビジョン受像機（１００）の制御方法であって、上記制御部は、対象チャンネル信号への干渉のレベルを判定し、判定した判定結果を、上記送信部を介して外部機器に送信する。
【００９０】
上記の構成によれば、制御部１２は、対象チャンネル信号への干渉のレベルを好適に判定することが可能になる。
【００９１】
本発明の各態様に係るテレビジョン受像機（１００）は、制御部（１２）がコンピュータによって実現してもよく、この場合には、コンピュータを上記制御部が備える各部（ソフトウェア要素）として動作させることにより上記制御部をコンピュータにて実現させる制御部の制御プログラム、及びそれを記録したコンピュータ読み取り可能な記録媒体も、本発明の範疇に入る。
【００９２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９３】
１００  テレビジョン受像機
１２  制御部
２７  送信部
２９  受信部
４０  送受信モジュール
７０  表示部
２００  テレビシステム
１００ａ  第１のテレビジョン受像機
１００ｂ  第２のテレビジョン受像機
【図１】
2019149638.tif 000003
【図２】
2019149638.tif 000004
【図３】
2019149638.tif 000005
【図４】
2019149638.tif 000006
【図５】
2019149638.tif 000007